【事件の表示】
　特願２００２−５８２１６４「オレフィン共重合体およびアクリル酸エステル共重合体を含有する潤滑剤」拒絶査定不服審判事件〔平成１４年１０月２４日国際公開、ＷＯ０２／８３８２５、平成１６年８月１９日国内公表、特表２００４−５２５２３１〕について、次のとおり審決する。
【結　論】
　本件審判の請求は、成り立たない。
【理　由】
第１　手続の経緯
　本願は、２００２年３月１８日〔パリ条約による優先権主張外国庁受理２００１年４月１１日（ＵＳ）米国〕を国際出願日とする出願であって、平成１５年１０月２２日付けで手続補正書の提出がなされ、
　平成２０年３月３日付けの拒絶理由通知に対し、平成２０年７月７日付けで意見書及び誤訳訂正書の提出がなされ、
　平成２０年１１月５日付けの拒絶査定に対し、平成２１年２月５日に審判請求がなされるとともに、平成２１年３月９日付けで手続補正書の提出がなされ、
　平成２３年３月９日付けの審尋に対し、指定期間内に回答書の提出がなされず、
　平成２３年１１月１日付けの審尋に対し、指定期間内に回答書の提出がなされなかったものである。
　
第２　平成２１年３月９日付け手続補正についての補正の却下の決定
〔補正の却下の決定の結論〕
　平成２１年３月９日付け手続補正を却下する。
　
〔理由〕
１．補正の内容
　平成２１年３月９日付け手続補正（以下、「本件補正」という。）は、補正前の特許請求の範囲に記載された
「【請求項１０】前記共重合体が連鎖移動剤の存在下で調製される、請求項４に記載の潤滑油組成物。
【請求項１１】前記共重合体が連鎖移動剤の存在下で調製される、請求項６に記載の潤滑油組成物。」を、
「【請求項１０】請求項４に記載の潤滑油組成物であって、前記共重合体が連鎖移動剤の存在下で調製される、潤滑油組成物。
【請求項１１】請求項６に記載の潤滑油組成物であって、前記共重合体が連鎖移動剤の存在下で調製される、潤滑油組成物。」
に改める補正のみから実質的になるものである。
　
２．補正の適否
　上記請求項１０及び１１についての補正は、補正前の請求項１０及び１１の記載に「誤記」ないし「明りようでない記載」がないので、
　平成１８年法律第５５号改正附則第３条第１項によりなお従前の例によるとされる同法による改正前の特許法（以下、「平成１８年改正前特許法」という。）第１７条の２第４項第３号に掲げる「誤記の訂正」ないし同４号に掲げる「明りようでない記載の釈明（拒絶理由通知に係る拒絶の理由に示す事項についてするものに限る。）」を目的とするものに該当せず、
　当該補正によって、請求項が削除され、若しくは特許を受けようとする発明の範囲が減縮されるとも認められないので、
　同１号に掲げる「第三十六条第五項に規定する請求項の削除」ないし同２号に掲げる「特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」を目的とするものにも該当しない。
　してみると、本件補正は、目的要件違反があるという点において平成１８年改正前特許法第１７条の２第４項の規定に違反しているから、その余のことを検討するまでもなく、本件補正は、同法第１５９条第１項において読み替えて準用する同法第５３条第１項の規定により却下すべきものである。
　よって、〔補正の却下の決定の結論〕のとおり決定する。
　
第３　本願発明について
１．本願発明
　平成２１年３月９日付け手続補正は上記のとおり却下されたので、本願の請求項１〜１６に係る発明は、平成２０年７月７日付け誤訳訂正により補正された特許請求の範囲の請求項１〜１１に記載された事項により特定されるとおりのものであると認める。
　そして、その請求項１に係る発明（以下、「本願発明」という。）は、次のとおりのものである。
「潤滑粘性のあるオイルおよび全体で１重量％〜５０重量％の共重合体を含有する潤滑油組成物であって、該共重合体は、以下の（Ａ）および（Ｂ）を含有する：
（Ａ）少なくとも１種のエチレン−プロピレン共重合体であって、６００〜５０００の範囲の【化１】
を有する共重合体；および
（Ｂ）以下から誘導した単位を含有する少なくとも１種の共重合体：
　（ａ）そのエステル基中に９個〜２５個の炭素原子を含有するメタクリル酸アルキルエステルモノマーを３５モル％〜９５モル％；および
　（ｂ）メタクリル酸２−エチルヘキシルを６５モル％〜５モル％；および
　（ｃ）そのエステル基中に２個〜８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素を０．１モル％〜２０モル％であるが、該共重合体（Ｂ）は、１０，０００〜３５０，０００の範囲の【化２】
を有する；ここで、（Ａ）：（Ｂ）の重量比は、９９：１〜１：９９の範囲である、
潤滑油組成物。」
　
２．原査定の拒絶の理由
　原査定の拒絶の理由は、「この出願については、平成２０年３月３日付け拒絶理由通知書に記載した理由１によって、拒絶をすべきものです。」というものであって、
　その備考欄には、「本願請求項１〜１１に係る発明は、引用文献１〜４の記載に基づいて、当業者が容易に発明をすることができたものである。」との指摘がなされている。
　そして、平成２０年３月３日付け拒絶理由通知書には、当該「理由１」として「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」との理由が示され、
　当該「下記の刊行物」として、特開平１１−２７９２３３号公報が「引用文献１」として、また、特開昭６３−２２８９７号公報が「引用文献３」として、それぞれ引用されている。
　
３．引用文献及びその記載事項
　上記「引用文献１」には、次の記載がある。
摘記１ａ：段落０００１
「本発明は、潤滑油用の粘度改良剤（分散剤−粘度改良剤を含めて）、このような粘度改良剤を含有する潤滑油、潤滑油組成物および濃縮物、およびこの粘度改良剤を調製する方法に関する。」
　
摘記１ｂ：段落００２４
「【発明が解決しようとする課題】　潤滑油組成物の低温粘性を不適当に高めることなく、せん断に抵抗しつつ、また、高温での粘度損失の程度を低くする粘度改良剤を提供すること。」
　
摘記１ｃ：段落００６３〜００６４
「粘度指数（しばしば、ＶＩと略される）との表現は、本明細書中で、しばしば使用される。粘度指数とは、一定温度範囲内における粘度変化の程度を示す経験的な数値である。高いＶＩは、温度に伴う比較的に小さい粘度変化を示すオイルを意味する。…
　本発明によれば、潤滑油組成物用の粘度改良剤（分散剤−粘度改良剤を含めて）としての使用に適当な組成物は、（ａ）そのエステル基中に約９個〜約２５個の炭素原子、好ましくは、約１３個〜約１９個の炭素原子、しばしば、約１６個の炭素原子を含有するメタクリル酸アルキルエステルモノマー、および（ｂ）そのエステル基中に７個〜約１２個の炭素原子、好ましくは、約９個〜約１２個の炭素原子、最も好ましくは、９個の炭素原子を含有し２−（Ｃ１−４アルキル）置換基を有するメタクリル酸アルキルエステルモノマー、および必要に応じて、そのエステル基中に２個〜約８個の炭素原子を含有しメタクリル酸エステル（ａ）および（ｂ）とは異なるメタクリル酸エステル、ビニル芳香族化合物、および窒素含有ビニルモノマーからなる群から選択した少なくとも１種のモノマー、を含有するメタクリル酸アルキルエステルモノマーの混合物から誘導した単位を含有する共重合体を含有し、但し、６０重量％を越えない該エステル（しばしば、５０重量％を越えない、頻繁には、約３５重量％を越えない）は、そのエステル基中に、１１個を越えない炭素原子を含有する。」
　
摘記１ｄ：段落００６６、００６９、及び００８８
「これらのエステルは、通常、脂肪族エステル、好ましくは、アルキルエステルである。好ましくは、エステル（ａ）は、Ｃ１２−１５メタクリル酸アルキルであり、そしてエステル（ｂ）は、メタクリル酸２−エチルヘキシルである。…
　この（ｃ）モノマーが窒素含有ビニルモノマーのとき、この共重合体は、一般に、潤滑油組成物に、高い分散性を与える。…
　有用な窒素含有モノマーには、…ジメチルアミノプロピルアクリルアミド…が挙げられる。」
　
摘記１ｅ：段落０１１５
「（実施例１１）　容器に、Ｃ１２−１５メタクリル酸エステル２７２．８部、メタクリル酸２−エチルヘキシル１２０部、鉱油（Ｔｏｔａｌ　８５Ｎ）１００部、および各７．６部のＴｒｉｇｏｎｏｘ−２１およびｔ−ドデシルメルカプタンを充填する。これらの物質を０．２５時間混合し、次いで、この混合物の約１／３およびジメチルアミノプロピルメタクリルアミド７．２部を、撹拌機、熱電対、添加漏斗付きＮ２注入口および冷却器を備えた反応器に充填する。この混合物の残りの２／３を、この添加漏斗に入れる。このフラスコ中の混合物を、Ｎ２下にて、０．２時間にわたって、１１０℃まで加熱し、それにより、１４４℃までの温度上昇を伴う発熱が確認される。約０．１時間後、この温度は１４０℃になり、この添加漏斗からのこの混合物の添加を、４．４　ｍｌ／分で開始する。０．２時間以内に、この温度は１１０℃になる。この添加を１．５時間継続し、温度を１０７〜１１４℃で維持する。加熱を、約１１０℃で３時間継続し、追加のＴｒｉｇｏｎｏｘ−２１（０．４部）を添加し、さらに２．５時間後、約１１０℃で、赤外スペクトルにより、この反応が完結したことが明らかとなる。このバッチを、１５０℃および１２　ｍｍ　Ｈｇまでストリッピングし、８５℃まで冷却し、濾過助剤を使用したブフナー漏斗により、２回濾過する。この濾液は、Ｍｗ＝５０，０１８、Ｍｎ＝１４，６１８およびＰＤＩ＝３．４２を有する。」
　
摘記１ｆ：段落０１２６
「補助の粘度改良剤（これはまた、時には、粘度指数改良剤または粘度調整剤と呼ばれる）は、本発明の組成物に含有され得る。粘度改良剤は、通常、重合体であり、これらには、ポリイソブテン、ポリメタクリル酸エステル、ジエン重合体、ポリアルキルスチレン、エステル化スチレン−無水マレイン酸共重合体、アルケニルアレン−共役ジエン共重合体、およびポリオレフィンが含まれる。本発明の粘度改良剤以外の多機能性粘度改良剤（これはまた、分散剤特性および／または酸化防止特性を有する）は公知であり、必要に応じて、本発明の生成物と併せて、使用され得る。このような生成物は、「発明の背景」で述べた文献を含めた、非常に多くの文献に記述されている。これらの各文献の内容は、本明細書中で参考として特に援用されている。」
　
摘記１ｇ：段落０１３８〜０１４１
「本発明の潤滑組成物は、以下の表にて、実施例により例示される。…
（実施例Ａ〜Ｋ）　鉱油ベースストック（Ｅｘｘｏｎ、９０　Ｎｅｕｔｒａｌ）中にて、指示量（重量部）の指定実施例の生成物を、スチレン−マレイン酸エステル−メタクリル酸メチル共重合体０．８部、および添加剤濃縮物（これは、ジチオリン酸ジ−（メチルアミル）のヒドロキシプロピルエステルをＰ２Ｏ５と反応させそして分枝第一級アミンで中和することにより得た生成物２０．３２部、オレイルアミン５．３８部、オレイルアミド１．５４部、鉱油１．２８部、カルボン酸重合体消泡剤０．９２部、硫化イソブチレン６８．１９部、およびヘプチルフェノール、ホルムアルデヒドおよび２，５−ジメルカプト−１，３，４−チアジアゾールの反応生成物の８０％ミネラルスピリッツ溶液２．３７部を含有する）６．５部と混合して、潤滑油組成物１００部を提供することにより、ギア潤滑剤組成物を調製する。…
　
【表２】　　　　　　　　　　　　　　　　
　　　　　　　　　　　　
実施例
　　　　　　　　　　 Ａ　 …　 Ｋ　 　　
実施例の生成物
　　　　　１　　　　２５　　　　　　　　
　　　　　…　　　　　　　　　　　　　　
　　　　１１　　　　　　　　　３０　…　
　
　潤滑油組成物Ａ〜Ｋの粘度測定は、以下の表に示す。…　
　
【表３】　　　　　　　　　　　　　　　　　　　　　　　
　　　　　　 Ｂｒｏｏｋｆｉｅｌｄ粘度 動力学的粘度　　
潤滑剤実施例
＠−４０℃(センチポアズ)
＠１００℃(センチストークス)
　　　　Ａ　 １０６，０００　　　　　 １５．２２　　　　　　　　　　
　　　　…　　　　　　　　　　　　　　　　　　　　　　　　　　　　　
　　　　Ｋ　 １８２，０００　　　　　 １７．６６　　　　　　　　　」
　
摘記１ｈ：段落０１５５
「【発明の効果】　本発明によれば、潤滑油組成物の低温粘性を不適当に高めることなく、せん断に抵抗しつつ、また、高温での粘度損失の程度を低くする粘度改良剤が提供される。」
　
　上記「引用文献３」には、次の記載がある。
摘記３ａ：請求項１
「（１）（Ａ）エチレン成分単位が３０〜７０モル％およびα−オレフイン成分単位が３０〜７０モル％からなり、数平均分子量（Ｍｎ）が１５０〜２０００の範囲にあり、Ｑ値（重量平均分子量／数平均分子量）が３以下である液状低分子量エチレン・α−オレフイン共重合体、および（Ｂ）該液状低分子量重合体（Ａ）１００重量部に対して０．０５ないし１５重量部の範囲内にあり、数平均分子量（Ｍｎ）が２００００以上であり、Ｑ値が６以下の範囲にありかつ該液状低分子量重合体（Ａ）に可溶性の高分子量重合体、からなる液状重合体組成物。」
（註）上記「Ｍｎ」の「Ｍ」の実際の表記はアッパーラインを伴う。
　
摘記３ｂ：第２頁右上欄第１８行〜右下欄第９行
「また、本出願人は、…数平均分子量３００ないし２０００…を有するエチレン・α−オレフイン共重合合成潤滑油を提案した。この提案によるエチレン・α−オレフイン共重合体は粘度指数、流動点、引火点、剪断安定性、熱安定性および油膜強度に優れ、合成潤滑油の用途に優れた性能を発揮するものである…さらに、…潤滑油に特定の低結晶性エチレン・プロピレン共重合体を粘度指数向上剤として配合した潤滑油組成物が提案されている。…
〔発明が解決しようとする問題点〕
　本発明者らは、航空機、自動車などの機械装置の圧力伝達媒体としての作動油に関する従来技術が前述の状況にあることを認識し、低温から高温に到る広範な温度範囲における粘度特性、潤滑特性および酸化安定性に優れ吸湿による変質のない液状重合体組成物を探索した結果、特定の性状の液状低分子量エチレン・α−オレフイン共重合体に可溶性の特定の高分子量重合体からなる液状重合体組成物が前記目的を達成することを見出し、本発明に到達した。」
　
摘記３ｃ：第３頁右下欄第１７行〜第４頁右上欄第１６行
「該高分子量重合体（Ｂ）として具体的には、…（メタ）アクリレート系重合体を挙げることができる。…
　また炭素数１〜２８のアルキル基を有するアクリル酸エステル類および／またはメタクリル酸エステル類の単独重合体あるいは共重合体を例示できる。更にこれらの重合後にスチレンの如きビニルモノマー…を最大５０重量部共重合してもさしつかえない。…
　また、本発明の液状重合体組成物には…必要に応じて鉱油（ニユートラルオイル）…を配合することができる。」
　
摘記３ｄ：第４頁右下欄下から８行〜第５頁右上欄第２行
「実施例２…
（Ｂ）高分子量重合体、ＰＭＡ−１…
数平均分子量５０５００…であつた。…
　混合割合はＥＰ−１　１００重量部に対し、ＰＭＡ−１を１０重量部である。この液について実施例１と全く同様の測定を行つた。結果を表３に示した。」
　
摘記３ｅ：第５頁左下欄第１４行〜右下欄第６行
「実施例５
（原料重合体）
（Ａ）低分子量共重合体、ＥＰ−４
　Ｍｎ６７０、エチレン４９モル％、プロピレン５１モル％、Ｑ値１．３、σ０．１
（Ｂ）高分子量重合体、ＰＭＡ−１
　実施例２で用いたものと同じ。
（組成物の調製）
　実施例２においてＥＰ−１のかわりにＥＰ−４を用いた以外は実施例２と全く同様に行つた。結果を表３に示した。」
（註）上記「Ｍｎ」の「Ｍ」の実際の表記はアッパーラインを伴う。
　
摘記３ｆ：第７頁の表３
「　　　　　　　　　　　表　　３　　　　　　　　　　　
┌────────────────┬──────┬─┐
│　　　　　　　　　　　　　　　　│　 実施例 　│…│
│　　　　　品質性能項目　　　　　├─┬────┼─┤
│　　　　　　　　　　　　　　　　│…│　 ５ 　│…│
├────────────────┼─┼────┼─┤
│粘度ｃＰｓ　−４０℃　　　　　　│…│１０００│…│
│　　…　　　　　　　　　　　　　│…│　 … 　│…│
│剪断安定性　　　　　　　　　　　│　│　　　　│　│
│　粘度低下率　　　　　　　　　　│　│　　　　│　│
│（１０ＫＨｚ　１００Ｗ−３０分）│…│　１５　│…│
└────────────────┴─┴────┴─┘
　　　　　　　　　　　　　　　　　　　　　　　　　　　　」
　
４．引用文献１に記載された発明
　摘記１ｃの「本発明によれば、潤滑油組成物用の粘度改良剤（分散剤−粘度改良剤を含めて）としての使用に適当な組成物は、（ａ）…約１３個〜約１９個の炭素原子…を含有するメタクリル酸アルキルエステルモノマー、および（ｂ）…約９個〜約１２個の炭素原子…を有するメタクリル酸アルキルエステルモノマー、および…メタクリル酸エステル（ａ）および（ｂ）とは異なるメタクリル酸エステル、ビニル芳香族化合物、および窒素含有ビニルモノマーからなる群から選択した少なくとも１種のモノマー、を含有するメタクリル酸アルキルエステルモノマーの混合物から誘導した単位を含有する共重合体を含有し」との記載、摘記１ｄの「エステル（ａ）は、Ｃ１２−１５メタクリル酸アルキルであり、そしてエステル（ｂ）は、メタクリル酸２−エチルヘキシルである。…この（ｃ）モノマーが窒素含有ビニルモノマーのとき、この共重合体は、一般に、潤滑油組成物に、高い分散性を与える。…有用な窒素含有モノマーには、…ジメチルアミノプロピルアクリルアミド…が挙げられる。」との記載、摘記１ｅの「（実施例１１）…Ｃ１２−１５メタクリル酸エステル２７２．８部、メタクリル酸２−エチルヘキシル１２０部、鉱油（…）１００部、および各７．６部のＴｒｉｇｏｎｏｘ−２１およびｔ−ドデシルメルカプタンを…混合し、次いで、この混合物の約１／３およびジメチルアミノプロピルメタクリルアミド７．２部を…反応器に充填する。…追加のＴｒｉｇｏｎｏｘ−２１（０．４部）を添加し、…この反応が完結したことが明らかとなる。…この濾液は、Ｍｗ＝５０，０１８、Ｍｎ＝１４，６１８およびＰＤＩ＝３．４２を有する。」との記載、摘記１ｆの「補助の粘度改良剤（…）は、…エステル化スチレン−無水マレイン酸共重合体、…およびポリオレフィンが含まれる。」との記載、及び摘記１ｇの「（実施例Ａ〜Ｋ）　鉱油ベースストック（…）中にて、指示量（重量部）の指定実施例の生成物を、スチレン−マレイン酸エステル−メタクリル酸メチル共重合体０．８部、および添加剤濃縮物（…）６．５部と混合して、潤滑油組成物１００部を提供することにより、ギア潤滑剤組成物を調製する。…実施例…Ｋ　実施例の生成物…１１…３０」との記載からみて、引用文献１には、その「実施例Ｋ」の具体例として、
『鉱油ベースストック、スチレン−マレイン酸エステル−メタクリル酸メチル共重合体０．８部、及び実施例１１の生成物３０部を含有する潤滑油組成物１００部であって、実施例１１の生成物が、（ａ）Ｃ１２−１５メタクリル酸エステル２７２．８部、（ｂ）メタクリル酸２−エチルヘキシル１２０部、および（ｃ）ジメチルアミノプロピルメタクリルアミド（窒素含有ビニルモノマー）７．２部のモノマー混合物から誘導した単位を含有するＭｎ＝１４，６１８の共重合体である潤滑油組成物。』についての発明（以下、「引用発明」という。）が記載されている。
　
５．対比
　本願発明と引用発明とを対比する。
　まず、引用発明の「スチレン−マレイン酸エステル−メタクリル酸メチル共重合体」及び「実施例１１の生成物…の共重合体」という２種類の共重合体の各々は、本願発明の「（Ａ）…共重合体」及び「（Ｂ）…共重合体」という２種類の共重合体の各々に相当する。
　
　さらに、引用発明の「実施例１１の生成物が、（ａ）Ｃ１２−１５メタクリル酸エステル２７２．８部、（ｂ）メタクリル酸２−エチルヘキシル１２０部、および（ｃ）ジメチルアミノプロピルメタクリルアミド（窒素含有ビニルモノマー）７．２部のモノマー混合物から誘導した単位を含有するＭｎ＝１４，６１８の共重合体」は、
　その「（ａ）Ｃ１２−１５メタクリル酸エステル２７２．８部」のモノマー単位の分子量が「２５４〜２９６」であることから、その平均値で換算した場合に、その共重合体に占めるモル百分率は「６０モル％」となり、
　その「（ｂ）メタクリル酸２−エチルヘキシル１２０部」のモノマー単位の分子量が「１９８」であることから、その共重合体に占めるモル百分率は「３７モル％」となり、
　その「（ｃ）ジメチルアミノプロピルメタクリルアミド（窒素含有ビニルモノマー）７．２部」のモノマー単位の分子量が「１７０」であることから、その共重合体に占めるモル百分率は「３モル％」となり、
　その「Ｍｎ＝１４，６１８」は、本願発明の「１０，０００〜３５０，０００の範囲」という数平均分子量の範囲内であることから、
　本願発明の「（Ｂ）以下から誘導した単位を含有する少なくとも１種の共重合体：
　（ａ）そのエステル基中に９個〜２５個の炭素原子を含有するメタクリル酸アルキルエステルモノマーを３５モル％〜９５モル％；および
　（ｂ）メタクリル酸２−エチルヘキシルを６５モル％〜５モル％；および
　（ｃ）そのエステル基中に２個〜８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素を０．１モル％〜２０モル％であるが、該共重合体（Ｂ）は、１０，０００〜３５０，０００の範囲の【化２】
を有する」に相当する。
　
　そして、引用発明の「スチレン−マレイン酸エステル−メタクリル酸メチル共重合体０．８部、及び実施例１１の生成物３０部を含有する潤滑油組成物１００部」は、
　これら２種類の共重合体の比となる『０．８：３０』が『３：９７』と換算されることから、本願発明の「（Ａ）：（Ｂ）の重量比は、９９：１〜１：９９の範囲である」という比の範囲内であり、
　これら２種類の共重合体を全体で３０．８部の割合で含有する潤滑油組成物１００部という含有量も、本願発明の「全体で１重量％〜５０重量％の共重合体を含有する潤滑油組成物」という含有量の範囲内であり、
　引用発明の「鉱油ベースストック」は、本願発明の「潤滑粘性のあるオイル」に相当する。
　
　してみると、本願発明と引用発明は、『潤滑粘性のあるオイルおよび全体で１重量％〜５０重量％の共重合体を含有する潤滑油組成物であって、該共重合体は、以下の（Ａ）および（Ｂ）を含有する：
（Ａ）の共重合体；および
（Ｂ）以下から誘導した単位を含有する少なくとも１種の共重合体：
　（ａ）そのエステル基中に９個〜２５個の炭素原子を含有するメタクリル酸アルキルエステルモノマーを３５モル％〜９５モル％；および
　（ｂ）メタクリル酸２−エチルヘキシルを６５モル％〜５モル％；および
　（ｃ）そのエステル基中に２個〜８個の炭素原子を含有しかつメタクリル酸エステル（ａ）および（ｂ）とは異なるメタクリル酸アルキルエステルモノマー、ビニル芳香族モノマーおよび窒素含有ビニルモノマーからなる群の少なくとも１種の構成要素を０．１モル％〜２０モル％であるが、該共重合体（Ｂ）は、１０，０００〜３５０，０００の範囲の【化２】
を有する；ここで、（Ａ）：（Ｂ）の重量比は、９９：１〜１：９９の範囲である、潤滑油組成物。』に関するものである点において一致し、
　（Ａ）の共重合体が、本願発明においては「少なくとも１種のエチレン−プロピレン共重合体であって、６００〜５０００の範囲の【化１】
を有する共重合体」であるのに対して、引用発明においては「スチレン−マレイン酸エステル−メタクリル酸メチル共重合体」である点においてのみ相違する。
　
６．判断
　摘記３ｂの「潤滑油に特定の低結晶性エチレン・プロピレン共重合体を粘度指数向上剤として配合した潤滑油組成物」との記載にあるように「エチレン・プロピレン共重合体」を「粘度指数向上剤」として潤滑油組成物に配合することは普通に知られており、
　摘記３ｅ（以下、引用文献３の「Ｍｎ」との表記については、そのアッパーラインの表記を省略する。）の『実施例５…（Ａ）低分子量共重合体、ＥＰ−４　Ｍｎ６７０、エチレン４９モル％、プロピレン５１モル％』との記載、並びに摘記３ｆの実施例５における「粘度ｃＰｓ　−４０℃」及び「剪断安定性」の値からみて、引用文献３には、『（Ａ）エチレン・プロピレン共重合体であって、６７０のＭｎを有する共重合体』を配合することで、低温における粘度特性及び剪断安定性に優れた性能を得るという技術思想が記載されているものと認められる。
　
　しかして、摘記１ｂの「潤滑油組成物の低温粘性を不適当に高めることなく、せん断に抵抗しつつ、また、高温での粘度損失の程度を低くする粘度改良剤を提供する」との記載にあるとおりの引用文献１に記載された発明の解決しようとする課題と、
　摘記３ｂの「自動車などの機械装置の圧力伝達媒体としての作動油…低温から高温に到る広範な温度範囲における粘度特性、潤滑特性および酸化安定性に優れ吸湿による変質のない液状重合体組成物を探索した」との記載にあるとおりの引用文献３に記載された発明の解決しようとする課題は、
　両者ともに、本願明細書の段落０００２の「これらの潤滑油組成物は、動力伝達装置潤滑剤中で、良好な低温性能および剪断性能を示し、厳しい装填条件下にて、耐久性を犠牲にすることなく、効率を改良する。」との記載にあるとおりの発明の解決しようとする課題と軌を一にするものであり、
　しかも、引用文献１には「補助の粘度改良剤」の他の選択肢として「ポリオレフィン」も例示（摘記１ｆ）されていることからみて、
　引用発明の「スチレン−マレイン酸エステル−メタクリル酸メチル共重合体」を、引用文献３に記載された『（Ａ）エチレン・プロピレン共重合体であって、６７０のＭｎを有する共重合体』という「共重合体」に置き換えることは、当業者にとって容易に想到し得たものと認められる。
　
　次に、本願発明の効果について検討するに、
　平成２３年１１月１日付けの審尋の（い）においても指摘したように、本願明細書の実施例Ｃ〜Ｑのものは、本願請求項１の（ｂ）の単位を含有していないという点において本願発明の具体例に相当するものではなく、
　同審尋の（う）においても指摘したように、本願明細書の実施例Ａ〜Ｂのものは、その「実施例２」の生成物の数平均分子量が明らかにされていないという点において本願発明の具体例に相当するものが不明であり、
　同審尋の（え）及び（お）においても指摘したように、その実験結果についての記載が不明確であって、仮に本願明細書の段落０１４８の「表１」に記載された実験データが本願発明の具体例に相当するものについての結果であるとしても、その「Ａ」及び「Ｂ」として記載されるものは、その「組成物Ａ」のものよりも「Δ粘度（％）」の絶対値が大きいという点において「剪断安定性」が劣るものであり、その「組成物Ｂ」のものよりも「−４０℃ブルックフィールド粘度」が大きいという点において「低温性能」が劣るものであるから、当該「表１」の実験結果によっては、本願発明に格別予想外の効果があるとは認められず、
　摘記１ｂの「潤滑油組成物の低温粘性を不適当に高めることなく、せん断に抵抗しつつ、また、高温での粘度損失の程度を低くする粘度改良剤を提供する」との記載も参酌すると、本願発明の効果が当業者にとって格別予想外の効果であると認めるに至らない。
　
　したがって、本願発明は、引用文献１に記載された発明及び引用文献３に記載された発明に基づいて、当業者が容易に発明をすることができたものである。
　
７．むすび
　以上のとおりであるから、本願発明は、引用文献１及び３に記載された発明に基づいて、当業者が容易に発明をすることができたものであるから、特許法第２９条第２項の規定により特許を受けることができず、その余の請求項に係る発明について検討するまでもなく、本願は拒絶すべきものである。
　よって、結論のとおり審決する。